(57)【要約】【課題】１回の飲料提供総量分の湯または冷水を複数回に分けて供給する場合に、原料の溶解性やミキシングボールからの湯または冷水の溢れなどの不具合を改善できる飲料提供装置を提供する。【解決手段】１回の飲料提供総量分の湯または冷水を複数回に分けて供給する場合に、湯または冷水を分けて供給する各回毎に攪拌羽根体の回転速度を異ならせる。例えば、１回目の液体供給時における攪拌羽根体の回転速度に比べて、２回目の液体供給時における攪拌羽根体の回転速度を遅くする。これにより、１回目の液体供給時には、２回目の液体供給時より高速回転する攪拌羽根体で原料を湯または冷水に確実に溶解できる。また、２回目の液体供給時には、ミキシングボール内に残る飲料や泡などを保留させずに湯または冷水とともに流し、ミキシングボール内に飲料や泡が残るのを低減できる。【選択図】図１
2008272275.tif 000002
【特許請求の範囲】
【請求項１】
底面部に流出口が形成されたミキシングボール、およびこのミキシングボール内に供給される原料と液体とを攪拌する回転可能な攪拌羽根体を有するミキシング装置と、
この攪拌羽根体を回転駆動する攪拌駆動部と、
前記ミキシングボールに原料を供給する原料供給装置と、
前記ミキシングボールに液体を供給する液体供給装置と、
前記液体供給装置により１回の飲料提供総量分の液体を複数回に分けて供給させ、この液体を分けて供給する各回毎に前記攪拌駆動部により回転させる前記攪拌羽根体の回転速度を異ならせる制御部と
を具備していることを特徴とする飲料提供装置。
【請求項２】
制御部は、１回目の液体供給時における攪拌羽根体の回転速度に比べて、２回目の液体供給時における攪拌羽根体の回転速度を遅くする
ことを特徴とする請求項１記載の飲料提供装置。
【請求項３】
攪拌羽根体は、回転軸、およびこの回転軸に設けられた攪拌羽根を有し、
ミキシング装置は、ミキシングボールの上面に配置される蓋体、この蓋体の下面に着脱可能に取り付けられこの蓋体の下面との間に液体供給装置から供給される液体を攪拌羽根体の回転軸および攪拌羽根上に注出する注出通路を形成する注出ガイドを有している
ことを特徴とする請求項１または２記載の飲料提供装置。
【発明の詳細な説明】
【技術分野】
【０００１】
本発明は、飲料の原料と液体とをミキシング装置で攪拌した飲料を提供する飲料提供装置に関する。
【背景技術】
【０００２】
従来、例えば、飲料供給装置としての給茶機では、ミキシング装置のミキシングボールに飲料の粉末状の原料と湯や冷水などの液体とを供給し、これらをミキシングボール内に配置した攪拌羽根体の回転により攪拌混合し、攪拌混合して調合した飲料をミキシングボールの底面部の流出口から流出させ、カップなどに提供している。
【０００３】
攪拌羽根体は、ミキシングボールの底部に回転可能に配置される攪拌羽根、およびこの攪拌羽根を設けた回転軸を有し、攪拌用モータによって回転駆動される。
【０００４】
このような給茶機では、１回の飲料提供動作を第１の工程と第２の工程とに分けるとともに、１回の飲料提供総量分の液体を２回の量に分けるものとし、そして、第１の工程では、ミキシングボールに原料および１回目の量の液体を供給してこれらを回転する攪拌羽根体で攪拌した後、攪拌羽根体の回転を停止して攪拌にて調合した飲料をミキシングボールから流出させ、次に、第２の工程では、攪拌羽根体を回転させながらミキシングボールに２回目の量の液体を供給し、ミキシングボール内に残る原料や泡を流出させている（例えば、特許文献１参照。）。
【特許文献１】特開２００６−３２６０５６号公報（第９−１１頁、図１）
【発明の開示】
【発明が解決しようとする課題】
【０００５】
上述のように、１回の飲料提供動作を第１の工程と第２の工程とに分けるとともに、１回の飲料提供総量分の液体を２回の量に分けている場合でも、第１工程および第２工程とも攪拌羽根体の回転速度が同じであると、原料の溶解性が低下したり液体がミキシングボールから溢れるなどの不具合が生じる。
【０００６】
すなわち、例えば、ミキシングボールの容量が小さい場合には、２回に分ける液体の量の分け方に偏りをもって設定すると、液体の量が多いときに攪拌羽根体の回転による攪拌にて液体がミキシングボールの縁から溢れることがある。そこで、オーバーフローが発生しないように攪拌羽根体の回転速度を遅くすると、原料の溶解性が低下する。
【０００７】
また、ミキシングボールの容量が大きい場合には、液体の溢れのおそれがなくても、第１の工程でミキシングボールの内面に残った原料や泡を第２の工程で確実に流すことができないことがある。
【０００８】
本発明は、このような点に鑑みなされたもので、１回の飲料提供総量分の液体を複数回に分けて供給する場合に、原料の溶解性やミキシングボールからの液体の溢れなどの不具合を改善できる飲料提供装置を提供することを目的とする。
【課題を解決するための手段】
【０００９】
請求項１記載の飲料提供装置は、底面部に流出口が形成されたミキシングボール、およびこのミキシングボール内に供給される原料と液体とを攪拌する回転可能な攪拌羽根体を有するミキシング装置と、この攪拌羽根体を回転駆動する攪拌駆動部と、前記ミキシングボールに原料を供給する原料供給装置と、前記ミキシングボールに液体を供給する液体供給装置と、前記液体供給装置により１回の飲料提供総量分の液体を複数回に分けて供給させ、この液体を分けて供給する各回毎に前記攪拌駆動部により回転させる前記攪拌羽根体の回転速度を異ならせる制御部とを具備しているものである。
【００１０】
請求項２記載の飲料提供装置は、請求項１記載の飲料提供装置において、制御部は、１回目の液体供給時における攪拌羽根体の回転速度に比べて、２回目の液体供給時における攪拌羽根体の回転速度を遅くするものである。
【００１１】
請求項３記載の飲料提供装置は、請求項１または２記載の飲料提供装置において、攪拌羽根体は、回転軸、およびこの回転軸に設けられた攪拌羽根を有し、ミキシング装置は、ミキシングボールの上面に配置される蓋体、この蓋体の下面に着脱可能に取り付けられこの蓋体の下面との間に液体供給装置から供給される液体を攪拌羽根体の回転軸および攪拌羽根上に注出する注出通路を形成する注出ガイドを有しているものである。
【発明の効果】
【００１２】
請求項１記載の飲料提供装置によれば、１回の飲料提供総量分の液体を複数回に分けて供給する場合に、この液体を分けて供給する各回毎に攪拌羽根体の回転速度を異ならせるため、液体の各回毎に、原料の溶解性を確保したり、ミキシングボールからの液体の溢れを防止するなど適切な対応ができる。
【００１３】
請求項２記載の飲料提供装置によれば、請求項１記載の飲料提供装置の効果に加えて、１回目の液体供給時における攪拌羽根体の回転速度に比べて、２回目の液体供給時における攪拌羽根体の回転速度を遅くすることにより、１回目の液体供給時には、２回目の液体供給時より高速回転する攪拌羽根体で原料を液体に確実に溶解でき、また、２回目の液体供給時には、ミキシングボール内に残る飲料や泡などを保留させずに液体とともに流出口から流し、飲料や泡が残るのを低減できる。
【００１４】
請求項３記載の飲料提供装置によれば、請求項１または２記載の飲料提供装置の効果に加えて、蓋体の下面に着脱可能に取り付けられた注出ガイドにより、蓋体の下面との間に液体供給装置から供給される液体を攪拌羽根体の回転軸および攪拌羽根上に注出する注出通路を簡単に形成でき、攪拌羽根体の回転軸および攪拌羽根の汚れを軽減できる。
【発明を実施するための最良の形態】
【００１５】
以下、本発明の一実施の形態を、図面を参照して説明する。
【００１６】
図７において、11は飲料提供装置としての給茶機で、この給茶機11は機体12を備えている。この機体12は、前面に開口部13が形成された箱状の本体14と、この本体14の前面側に配置されて開口部13を開閉する図示しない扉体とで構成されている。
【００１７】
本体14内の後部側には、液体供給装置15として、湯を供給する湯供給装置16、および冷水を供給する冷水供給装置17が配置されている。湯供給装置16は、ヒータで所定温度に沸き上げた湯を貯湯する湯タンク、この湯タンク内の湯を供給する図示しないパイプなどの流路を開閉する湯電磁弁を備えている。また、冷水供給装置17は、冷却機を用いて冷却した冷却水を貯留する冷却タンク、この冷却タンクの冷却水中に配置した給水パイプを通じて冷却した冷水を供給させる冷水電磁弁を備えている。
【００１８】
本体14内の前部側の略中段の高さ位置には、取付台18が機体12の左右方向である幅方向に沿って配設されている。この取付台18の下側にミキシング装置19が着脱可能に装着される装着部20が配設され、取付台18の上側にミキシング装置19に原料を供給する複数であって例えば４つの原料供給装置21が着脱可能に配置され、取付台18の前側には各原料供給装置21から供給する原料をミキシング装置19に導くシュート体22が着脱可能に取り付けられている。
【００１９】
本体14内の前部側の下部域であってミキシング装置19の下方には、ミキシング装置19内の湿気を排気する排気装置23が配設され、この排気装置23の前側にミキシング装置19で調合した飲料を注出するカップ置き台24が着脱可能に配置されている。
【００２０】
次に、ミキシング装置19について説明する。図３ないし図５、図７に示すように、ミキシング装置19は、２つのミキシングボール体31、これら各ミキシングボール体31の上面にそれぞれ着脱可能に取り付けられる蓋体32、これら各蓋体32に回転可能に取り付けられた２つの攪拌羽根体33、２つのミキシングボール体31に組み合わされる１つのロート体34などを備えている。
【００２１】
各ミキシングボール体31の前部側には、２つのミキシングボール36が幅方向に並んで一体に形成されている。
【００２２】
各ミキシングボール36は、円形の底面部37およびこの底面部37の周縁から上方に突出する周壁部38が設けられた円筒状のボール部36aを有し、このボール部36a内に上方に開口する円筒状でかつ凹状の攪拌空間39が形成されている。円筒状のボール部36aは、攪拌羽根体33の外径より少し大きい程度の内径で、ボール部36aの内周面と攪拌羽根体33の外周部との間隔は攪拌羽根体33の半径よりも小さく形成されている。なお、ボール部36aの形状の円筒状とは、真円断面の円筒状、あるいは真円に近い円形断面の略円筒状でもよい。
【００２３】
底面部37の略中央には飲料が流出する流出口40が形成されているとともに底面部37上には流出口40を中心として攪拌羽根体33が回転可能に対向して配置される攪拌羽根体回転空間部41が形成されている。底面部37は、流出口40に向けて下降するように傾斜状に形成されているとともに、攪拌羽根体回転空間部41に臨み流出口40を中心として周方向に同一形状に形成されている。
【００２４】
流出口40の下方には、放射状に配置される複数のリブ42によって攪拌羽根体33の下端側を回転可能に支持する下部軸受部43が形成されている。
【００２５】
各ミキシングボール36の後部側には下方に窪む窪み部44が形成され、この窪み部44の上面は前方の攪拌空間39へ向けて下降するように傾斜状に形成されている。窪み部44の後部の幅方向の一側には排気装置23に連通する通気口45が下方へ向けて形成されている。
【００２６】
また、蓋体32は、ミキシングボール体31に並んで形成された２つのミキシングボール36の上面に覆うように、ミキシングボール体31の上部に着脱可能に嵌め込み装着される。
【００２７】
蓋体32には、各ミキシングボール36の上方において、前後方向の中央には攪拌羽根体33の上端側を回転可能に支持する上部軸受部47が形成され、前部側には原料を投入する原料投入口48が形成され、後部側で幅方向の他側位置には湯または冷水を注入する注入口49が形成されている。
【００２８】
蓋体32の上面には、上部軸受部47の上方から後部側にかけてギヤ収納部50が形成され、このギヤ収納部50の底面にギヤ軸受部51が形成されている。ギヤ収納部50には、攪拌羽根体33より小径で攪拌羽根体33の上端に取り付けられる小径ギヤ52と、ギヤ軸受部51に軸受された大径ギヤ53とがそれぞれ回転可能に配置され、これらギヤ52，53が互いに噛合されて回転力を伝達可能としている。これらギヤ52，53を回転可能に覆うカバー54が蓋体32の上面に取り付けられている。大径ギヤ53の軸には、この大径ギヤ53と一体に回転する駆動受部55が取り付けられている。この駆動受部55は、円板状に形成され、その上面でかつ回転中心から外れた円周上の位置に複数の連結部56が突設されている。そして、小径ギヤ52および大径ギヤ53によって、駆動受部55から攪拌羽根体33に回転力を伝達する伝達機構57が構成されている。
【００２９】
蓋体32の下面には、各ミキシングボール36の上方において、注入口49からミキシングボール36のボール部36a内に供給する湯または冷水を攪拌羽根体33（攪拌羽根体33の回転軸61および攪拌羽根62上）に注出する注出ガイド58が着脱可能に設けられている。図５および図６に示すように、この注出ガイド58は、ガイド底部58a、および攪拌羽根体33に対向する先端面を除くガイド底部58aの周縁部から立設されたガイド側壁部58bにより樋状に形成されており、攪拌羽根体33に対向する先端面に注出口部58cが形成されている。ガイド側壁部58bの上面部が蓋体32の下面に接合する状態で、蓋体32の上面側からガイド側壁部58bの取付孔58eに螺着される複数のねじ59により、注出ガイド58が蓋体32の下面に締め付けて固定されている。
【００３０】
蓋体32の下面と注出ガイド58のガイド底部58aとガイド側壁部58bとの間で囲まれた注出流路58dが形成され、この注出通路58dの後部側上方に蓋体32の注入口49が配置され、注出通路58dの前部に注出口部58cが配置されている。注出ガイド58の注出口部58cは、攪拌羽根体33（攪拌羽根体33の回転軸61）に近接する位置に配置されている。ガイド底部58aは、後部側から前部の注出口部58cへ向けて下降傾斜されている。
【００３１】
また、攪拌羽根体33は、回転軸61、およびこの回転軸61の下端側近傍に配置された攪拌羽根62を有している。
【００３２】
回転軸61の上端側が蓋体32の上部軸受部47に回転可能に軸支されているとともに上端には小径ギヤ52が取り付けられている。回転軸61の下端にはミキシングボール36の下部軸受部43に挿入されて回転可能に軸支される軸部63が形成されている。
【００３３】
攪拌羽根62は、ミキシングボール36の流出口40より大径に形成され、ミキシングボール36の底面部37上の攪拌羽根体回転空間部41に回転可能に配置される円板状のディスク部64を有している。このディスク部64は、下面が平面状に形成され、上面が中央側から周辺側に向かって下降傾斜する傾斜面状つまり円錐面状に形成されている。
【００３４】
ディスク部64には、このディスク部64の周方向の複数位置に上下方向に貫通する複数の孔部65が形成されている。これら孔部65は、周方向においては例えば９０°の角度毎に等間隔となる位置に設けられている。
【００３５】
ディスク部64の下面には、このディスク部64の回転方向に対して反対側となる各孔部65の縁部に臨んで、板状の羽根部66がディスク部64の半径方向に沿ってそれぞれ突設されている。各羽根部66は、ミキシングボール36の底面部37との間に所定の間隙をあけて平行に対向するように突設されており、流出口40に対向するディスク部64の中央付近には切欠部67が形成されている。
【００３６】
また、ロート体34には、２つのミキシングボール体31が幅方向に並んで着脱可能に嵌め込まれて配置される。ロート体34の前部中央には、ミキシングボール36から受け入れた飲料をカップ置き台24のカップが配置される中央位置に対して注出する図示しない注出口が形成されている。
【００３７】
また、図３に示すように、ミキシング装置19を装着する装着部20の上部側には、ミキシング装置19の各攪拌羽根体33をそれぞれ個別に回転駆動する複数の駆動ユニット81が配置されている。各駆動ユニット81は、取付台18に取り付けられたギヤ機構82を有し、このギヤ機構82の後部側下面にギヤ機構82を駆動する攪拌駆動部としての攪拌用モータ83が配設され、ギヤ機構82の前部側下面に攪拌用モータ83の駆動によってギヤ機構82を通じて回転駆動する駆動軸84が突設されている。
【００３８】
駆動軸84の下端には、攪拌羽根体33側の駆動受部55と連結して攪拌用モータ83からの回転駆動力を伝達する連結体85が取り付けられている。この連結体85は、円板状で、その下面でかつ回転中心から外れた円周上の位置に軸状の連結部86が突設されている。
【００３９】
そして、装着部20にミキシング装置19を装着した際に、各連結体85に対して各駆動受部55が同軸上に配置され、連結体85の回転により連結部86が連結部56に当接して駆動受部55が一体に回転可能としている。
【００４０】
なお、装着部20にミキシング装置19を装着することにより、ミキシング装置19の各注入口49に湯供給装置16からの湯または冷水供給装置17からの冷水を供給する図示しないノズルが配置されるとともに、ミキシング装置19の通気口45などを通じてミキシングボール36内を排気装置23で排気可能としている。
【００４１】
また、図７に示すように、各原料供給装置21は、原料として例えば緑茶などの粉末原料を収容する容器91を有し、この容器91内に収納されている原料を図示しない繰出機構によって所定量ずつシュート体22に繰り出して供給する。
【００４２】
また、シュート体22は、各原料供給装置21から繰り出された原料を受け入れて蓋体32に形成された原料投入口48を通じてミキシングボール36に送り込む。
【００４３】
また、図１に給茶機11を制御する制御部101を示す。この制御部101は、機体12の扉体の前面に飲料種類毎に温飲料用と冷飲料用とが設けられた選択ボタン102、ミキシング装置19、原料供給装置21、湯供給装置16、冷水供給装置17、排気装置23がそれぞれ接続されており、ミキシング装置19の攪拌用モータ83、原料供給装置21の原料供給用モータ、湯供給装置16のヒータおよび湯電磁弁、冷水供給装置17の冷却機および冷水電磁弁、排気装置23のファンモータをそれぞれ制御する。
【００４４】
そして、制御部101は、１回の飲料提供総量分の湯または冷水を複数回であって例えば２回に分けて供給させ、この湯または冷水を分けて供給する各回毎に攪拌用モータ83により回転させる攪拌羽根体33の回転速度を異ならせるように制御する機能を有している。この攪拌羽根体33の回転速度を異ならせるのは、１回目の湯または冷水供給時における攪拌羽根体33の回転速度に比べて、２回目の湯または冷水供給時における攪拌羽根体33の回転速度を遅くするようにする。また、１回目の湯または冷水供給時にのみ、原料を供給する。
【００４５】
１回目と２回目について、湯または冷水のそれぞれの供給量、攪拌羽根体33の回転時間および回転速度は、原料の溶けやすさなどに応じて適宜設定される。
【００４６】
次に、給茶機11の動作について図２のフローチャートを参照して説明する。
【００４７】
カップをカップ置き台24に置き、扉体の前面に配置されている選択ボタン102の中から選択する飲料種類毎の温飲料用または冷飲料用の選択ボタン102を操作することにより（ステップ１）、飲料提供動作を開始する。
【００４８】
飲料提供動作の開始により、湯供給装置16または冷水供給装置17から１回目の分量の湯または冷水をミキシング装置19に供給し（ステップ２）、攪拌用モータ83により１回目の攪拌羽根体33の回転を開始させ（ステップ３）、選択された飲料種類の原料供給装置21から所定量の原料を供給する（ステップ４）。湯供給装置16または冷水供給装置17から供給される湯または冷水は、ノズルからミキシング装置19の注入口49および注出ガイド58を通じてミキシングボール36に供給され、また、原料供給装置21から供給される原料は、原料シュート体22を通じてミキシング装置19のミキシングボール36に供給される。
【００４９】
このとき、１回目の湯または冷水の供給量をミキシングボール36の容量に応じて溢れない量とし、攪拌羽根体33を高速回転させることにより、高速回転する攪拌羽根体33の遠心力によって湯または冷水（飲料）が流出口40から流出しないようにミキシングボール36内に保持しながら、かつミキシングボール36から湯または冷水（飲料）が溢れることなく、ミキシングボール36内の原料と湯または冷水とを攪拌混合することによって原料を湯または冷水に確実に溶かして飲料を調合する。
【００５０】
また、１回目の攪拌羽根体33の回転開始から予め設定された時間経過後に（ステップ５）、１回目の攪拌羽根体33の回転を停止させることにより（ステップ６）、ミキシングボール36内の飲料を流出口40からロート体34に流出させ、このロート体34を通じてカップ置き台24に置いたカップに注出する。
【００５１】
その後、湯供給装置16または冷水供給装置17から２回目の分量の湯または冷水をミキシング装置19に供給し（ステップ７）、攪拌用モータ83により２回目の攪拌羽根体33の回転を開始させる（ステップ８）。湯供給装置16または冷水供給装置17から供給される湯または冷水は、ノズルからミキシング装置19の注入口49および注出ガイド58を通じてミキシングボール36に供給される。
【００５２】
この攪拌羽根体33の２回目の回転時には、１回目の回転時より遅い回転速度で回転させることにより、湯または冷水をミキシングボール36内に保持させずに流出口40から垂れ流しながら、注出ガイド58から注出される湯または冷水を回転する攪拌羽根体33でミキシングボール36内に拡散させてミキシングボール36内に残る飲料や泡などを湯または冷水で流出口40に流す。
【００５３】
しかも、注出ガイド58によって攪拌羽根体33の回転軸61まで湯また冷水が注出されるので、回転軸61に付着する飲料や泡なども流すことができる。
【００５４】
そして、ミキシングボール36の流出口40から流出した湯または冷水は、ロート体34を通じてカップ置き台24に置いたカップに注出し、既にカップに注出されている飲料と混合される。
【００５５】
また、２回目の攪拌羽根体33の回転開始から予め設定された時間経過後に（ステップ９）、２回目の攪拌羽根体33の回転を停止させることにより（ステップ10）、ミキシングボール36内に残る湯または冷水を流出口40からロート体34に流出させ、このロート体34を通じてカップ置き台24に置いたカップに注出する。
【００５６】
そして、カップ内には、１回目と２回目の湯または冷水の供給量を合わせた１回の飲料提供総量分の飲料が注出される。
【００５７】
このように、１回の飲料提供総量分の湯または冷水を複数回に分けて供給する場合に、この湯または冷水を分けて供給する各回毎に攪拌羽根体33の回転速度を異ならせるため、湯または冷水の各回毎に、原料の溶解性を確保したり、ミキシングボール36からの液体の溢れを防止するなど適切な対応ができる。
【００５８】
すなわち、１回目の液体供給時における攪拌羽根体33の回転速度に比べて、２回目の液体供給時における攪拌羽根体33の回転速度を遅くすることにより、１回目の液体供給時には、２回目の液体供給時より高速回転する攪拌羽根体33で原料を湯または冷水に確実に溶解でき、また、２回目の液体供給時には、ミキシングボール36内に残る飲料や泡などを保留させずに湯または冷水とともに流出口40から流し、飲料や泡が残るのを低減できる。
【００５９】
また、ミキシングボール36の容量が大きい場合には、１回目の液体供給時における攪拌羽根体33の回転速度に比べて、２回目の液体供給時における攪拌羽根体33の回転速度を速くすることにより、湯または冷水がミキシングボール36から溢れることなく、ミキシングボール36内に残る飲料や泡を確実に流すことができる。
【００６０】
また、注出ガイド58は、蓋体32の下面にねじ59で取り付ける構造を採用したことにより、蓋体32の下面との間に湯供給装置16または冷水供給装置17から供給される湯または冷水を攪拌羽根体33の回転軸61および攪拌羽根62上に導いて注出できる注出通路58dを簡単に形成でき、攪拌羽根体33の回転軸61および攪拌羽根62の汚れを軽減できる。
【００６１】
この注出ガイド58を蓋体32の下面に取り付ける構造としては、ねじ59に限らず、蓋体32側に係合孔を設け、注出ガイド58側に係止爪を突設し、この注出ガイド58の係止爪を蓋体32の係合孔に差し込み係止することにより、注出ガイド58を蓋体32の下面に取り付けてもよい。
【００６２】
なお、飲料提供装置としては、給茶機11に限らず、カップ式飲料自動販売機などにも適用でき、同様の作用効果が得られる。
【図面の簡単な説明】
【００６３】
【図１】本発明の一実施の形態を示す飲料提供装置のブロック図である。
【図２】同上飲料提供装置の動作を示すフローチャートである。
【図３】同上飲料提供装置のミキシング装置の断面図である。
【図４】同上ミキシング装置の斜視図である。
【図５】同上ミキシング装置の蓋体を外した状態の一部の平面図である。
【図６】同上ミキシング装置の注出ガイドの斜視図である。
【図７】同上飲料提供装置の斜視図である。
【符号の説明】
【００６４】
11    飲料提供装置としての給茶機
15    液体供給装置
19    ミキシング装置
21    原料供給装置
32    蓋体
33    攪拌羽根体
36    ミキシングボール
37    底面部
40    流出口
58    注出ガイド
58d   注出通路
61    回転軸
62    攪拌羽根
83    攪拌駆動部としての攪拌用モータ
101   制御部
【図１】
2008272275.tif 000003
【図２】
2008272275.tif 000004
【図３】
2008272275.tif 000005
【図４】
2008272275.tif 000006
【図５】
2008272275.tif 000007
【図６】
2008272275.tif 000008
【図７】
2008272275.tif 000009